(57)【要約】【課題】間隔が狭くても立体装飾的な効果が得られ、これまで困難とされてきた小物類の装飾を可能にする立体装飾物の製作法を提供する。【解決手段】複数枚複製した同一写真や絵の素材１をそれぞれ切り抜く。各素材１の間隔をあけて何層にも重ねて配置する。各層の素材１をそれぞれ左右後方に湾曲させて素材１の中央面部１Ａを前方に突出させる。重ねた各層の最先端の層に至るほど素材１の曲面が次第に強くなるように配置する。各素材１の左右端部側１Ｂを夫々まとめる。【選択図】  図１
2020011477.tif 000002
【特許請求の範囲】
【請求項１】
複数枚複製した同一写真や絵の素材をそれぞれ切り抜き、間隔をあけて何層にも重ねて配置する立体装飾物の製作法において、各層の素材をそれぞれ左右後方に湾曲させて素材の中央面部を前方に突出させると共に、重ねた各層の最先端の層に至るほど素材の曲面が次第に強くなるように配置することを特徴とする立体装飾物の製作法。
【請求項２】
前記素材の各層の左右端部側を、接着手段、係止手段、止着手段のいずれかで綴じてまとめる請求項１記載の立体装飾物の製作法。
【請求項３】
前記素材は、複数枚の複製した同一写真や絵を切り抜いた状態で透明板体に印刷され、該透明板体を湾曲して配置する請求項１記載の立体装飾物の製作法。
【請求項４】
複数枚複製した同一写真や絵の素材をそれぞれ切り取り、間隔をあけて何層にも重ねて配置し、各層の素材をそれぞれ左右後方に湾曲させて素材の中央面部を前方に突出させると共に、重ねた各層の最先端の層に至るほど素材の曲面が次第に強くなるように配置し、各素材の左右端部側を夫々まとめた立体装飾物を備える装飾用品であって、装飾用品の一部に収納凹部を形成し、該収納凹部に前記立体装飾物を収納するように構成したことを特徴とする立体装飾物を備えた装飾用品。
【請求項５】
前記装飾用品は収納スペースを備えた装飾用品とし、前記収納凹部は独立した装飾物収納体に凹設され、該収納凹部に収納した前記立体装飾物Ｐを該装飾用品の収納スペースに装飾物収納体ごと収納すると共に、該装飾物収納体の裏側に物品を収納する収納部を形成した請求項４記載の立体装飾物を備えた装飾用品。
【請求項６】
前記装飾用品は、丸背状に形成される背板を中央に介して底板と蓋板が連接されると共に、これら底板、背板、蓋板の内側に重ねて強化する一部又は全体が透明な合成樹脂製の補強板を有する丸背ブック型ケースとして構成され、該装飾用品の内部に形成された前記収納スペース内に、前記装飾物収納体ごと前記立体装飾物を収納すると共に、蓋板に重ねた透明な補強板の内側に前記立体装飾物を配置し、蓋板に形成した開口窓部から透明な補強板を通して前記立体装飾物が見えるように構成した請求項５記載の立体装飾物を備えた装飾用品。
【発明の詳細な説明】
【技術分野】
【０００１】
本発明は、平面的な写真や絵を立体的な装飾物にすることが可能な立体装飾物の製作法及び立体装飾物を備えた装飾用品に関する。
【背景技術】
【０００２】
従来、写真や絵を立体的に見えるようにする立体装飾物の製作法が特許文献１や特許文献２などに記載されている。
【０００３】
これらの立体装飾物は、いずれも、写真や絵を切り取った複数枚の素材を、間隔をあけて何層にも重ねるように配置するものである。このように、素材の間隔をあけて何層にも重ねることで、素材の側面に、重なり合った素材の隙間と影が見えるようになる。この結果、遠近感が生じ、立体的に見えるようになるというものである。
【０００４】
一方、当出願人は先に、紙材にて形成するブック型ケースの強度を高めることができる丸背ブック型ケースを発明している（特許文献３）。この丸背ブック型ケースは、ケースの内側に配置する補強板の撓み形状で丸くなった背板ごとブック型ケースの強度を高めるものである。この強度により、各種の装飾をブック型ケースに施すことが可能になっている。
【先行技術文献】
【特許文献】
【０００５】
【特許文献１】特開平７-６１２００号公報
【特許文献２】実公昭５１-５２５５４号公報
【特許文献３】特許第５９７０５０４号公報
【発明の概要】
【発明が解決しようとする課題】
【０００６】
特許文献１や特許文献２に記載の立体装飾物の製作法では、重ねた素材の間隔を広くするほど立体感が増加し、素材の間隔が狭くなるほど立体感が失われてしまう性質がある。したがって、この立体装飾物は、必然的に厚みのある装飾物にならざるを得ず、比較的大型の物品を装飾することは可能でも、小物用品を装飾することが困難な構造になっていた。
【０００７】
そのため、ブック型のケースのような小物用品に、従来の立体装飾物を用いると、ブック型ケースの内部が全て立体装飾物で占められてしまうことになり、ケースとしての用途は果たせなくなる。したがって、この状態ではケースの装飾というより、ケース形の装飾品にならざるを得ない。このような状況から、ブック型のケースのような小物用品を装飾することが可能な立体装飾物の提供が望まれていた。
【０００８】
そこで本発明は、上述の課題を解消すべく創出されたもので、各層の間隔が狭くても立体装飾的な効果が得られ、これまで困難とされてきた小物類の装飾を可能にする立体装飾物の製作法及び立体装飾物を備えた装飾用品の提供を目的とする。
【課題を解決するための手段】
【０００９】
上述の目的を達成すべく本発明における第１の手段は、複数枚複製した同一写真や絵の素材１をそれぞれ切り抜き、間隔をあけて何層にも重ねて配置する立体装飾物の製作法において、各層の素材１をそれぞれ左右後方に湾曲させて素材１の中央面部１Ａを前方に突出させると共に、重ねた各層の最先端の層に至るほど素材１の曲面が次第に強くなるように配置する製作法にある。
【００１０】
第２の手段は、前記素材１の各層の左右端部側１Ｂを、接着手段、係止手段、止着手段のいずれかで綴じてまとめる製作法である。
【００１１】
第３の手段において、前記素材１は、複数枚の複製した同一写真や絵を切り抜いた状態で透明板体２に印刷され、該透明板体２を湾曲して配置する製作法とする。
【００１２】
第４の手段は、複数枚複製した同一写真や絵の素材１をそれぞれ切り取り、間隔をあけて何層にも重ねて配置し、各層の素材１をそれぞれ左右後方に湾曲させて素材１の中央面部１Ａを前方に突出させると共に、重ねた各層の最先端の層に至るほど素材１の曲面が次第に強くなるように配置し、各素材１の左右端部側１Ｂを夫々まとめた立体装飾物Ｐを備える装飾用品Ｑであって、装飾用品Ｑの一部に収納凹部３を形成し、該収納凹部３に前記立体装飾物Ｐを収納するように構成した装飾用品Ｑにある。
【００１３】
第５の手段の前記装飾用品Ｑは収納スペースＱ１を備えた装飾用品Ｑとし、前記収納凹部３は独立した装飾物収納体Ｒに凹設され、該収納凹部３に収納した前記立体装飾物Ｐを該装飾用品Ｑの収納スペースＱ１に装飾物収納体Ｒごと収納すると共に、該装飾物収納体Ｒの裏側に物品Ｓを収納する収納部Ｑ２を形成したことにある。
【００１４】
第６の手段の前記装飾用品Ｑは、丸背状に形成される背板１１を中央に介して底板１２と蓋板１３が連接されると共に、これら底板１２、背板１１、蓋板１３の内側に重ねて強化する一部又は全体が透明な合成樹脂製の補強板１０を有する丸背ブック型ケースとして構成され、該装飾用品Ｑの内部に形成された前記収納スペースＱ１内に、前記装飾物収納体Ｒごと前記立体装飾物Ｐを収納すると共に、蓋板１３に重ねた透明な補強板１０の内側に前記立体装飾物Ｐを配置し、蓋板１３に形成した開口窓部１３Ａから透明な補強板１０を通して前記立体装飾物Ｐが見えるように構成したものである。
【発明の効果】
【００１５】
本発明の請求項１乃至３によると、各層の素材１をそれぞれ左右後方に湾曲させて素材１の中央面部１Ａを前方に突出させると共に、重ねた各層の最先端の層に至るほど素材１の曲面が次第に強くなるように配置することにより、各層２の間隔が狭くなっても立体的な効果が得られ、これまで困難とされてきた小物類の装飾が可能になった。この結果、従来では困難であった小物用品の装飾も可能になり、立体装飾物Ｐの使用範囲を広げることができる。
【００１６】
本発明の請求項４のごとく、装飾用品Ｑの一部に収納凹部３を形成し、該収納凹部３に前記立体装飾物Ｐを収納することで装飾用品Ｑを立体装飾することができる。したがって、どのような装飾用品Ｑでも収納凹部３を形成するだけで、立体装飾物Ｐを備えた装飾用品Ｑを容易に提供することが可能になる。
【００１７】
請求項５のように、装飾用品Ｑは収納スペースＱ１を備えた装飾用品Ｑとし、前記収納凹部３は独立した装飾物収納体Ｒに凹設され、該装飾用品Ｑの収納スペースＱ１に装飾物収納体Ｒごと立体装飾物Ｐを収納することで、立体装飾物Ｐの飾り付け作業が極めて容易になる。しかも、装飾物収納体Ｒの裏側に物品Ｓを収納する収納部Ｑ２を形成しているので収納容器として好適な装飾用品Ｑを提供することが可能である。
【００１８】
請求項６のごとく、丸背ブック型ケースの装飾用品Ｑに立体装飾物Ｐを収納することで、物品Ｓの収納と収納ケースの立体装飾とを同時に備えたこれまでにないブック型ケースの装飾用品を提供することができる。
【図面の簡単な説明】
【００１９】
【図１】本発明製作法の概念を示し、（イ）は分解斜視図、（ロ）は平面図である。
【図２】本発明の立体装飾物を収納した装飾用品の一実施例を示す斜視図である。
【図３】図２に示す装飾用品の分解斜視図である。
【図４】図２に示す装飾用品の断面図である。
【図５】図２で使用した装飾用品の展開図である。
【図６】本発明素材を綴じる手段の一実施例を示す分解斜視図である。
【図７】図６に示す係止状態の正面図である。
【図８】図６に示す係止状態の断面図である。
【図９】本発明素材を綴じる手段の他の実施例を示す正面図である。
【図１０】図９に示す止着状態の断面図である。
【図１１】本発明の素材の他の実施例を示す分解斜視図である。
【図１２】本発明装飾片を追加する実施例を示し、（イ）は斜視図、（ロ）は使用断面図である。
【発明を実施するための形態】
【００２０】
以下、本発明の実施例を説明する。本発明は、複数枚複製した同一写真や絵の素材１をそれぞれ切り抜き、これらの素材１を何層にも間隔をあけて配置する立体装飾物を製作するものである。
【００２１】
このような立体装飾物の製作法は従来からある手法で、重ねた層の一番奥に素材１の全体が配置され、層の先端に至るほど小さく切り抜いた素材１を順次間隔をあけて重ねていくものである。
【００２２】
本発明では、このような各層の素材１をそれぞれ左右後方に湾曲させて素材１の中央面部１Ａを前方に突出させている（図１（イ）参照）。更に、重ねた各層の最先端の層に至るほど素材１の曲面が次第に強くなるように配置している（図１（ロ）参照）。
【００２３】
このように素材１の曲面が次第に強くなるように湾曲させることで、重ねた素材１全体に統一感が得られる。しかも、中央面部１Ａが湾曲していることから、各素材１の間隔が狭い状態でも十分な立体感が得られる。
【００２４】
各素材１の左右端部側１Ｂを夫々まとめて素材１全体を一体化することも可能である。このとき、各層の素材１の左右端部側１Ｂをまとめる手段は任意に選択することができる。例えば、接着手段、係止手段、止着手段のいずれかで綴じることで、複数の素材１を一体化することができる。接着手段は、左右端部側１Ｂを接着剤で接着する手段である。
【００２５】
また、左右端部側１Ｂを差し込む切欠部１Ｄなどを形成し、この切欠部１Ｄに左右端部側１Ｂから更に突出させた係止突起１Ｃを差し込んで係止する手段がある（図６乃至図８参照）。図示例では、切欠部１Ｄの位置を複数配置しておき、各素材１がそれぞれ係止できるように形成している（図７参照）。この切欠部１Ｄに各係止突起１Ｃを差し込んで素材１を固定すると、平面状の各素材１が屈曲するように構成している（図８参照）。
【００２６】
更に、ステープラー等の止着具で左右端部側１Ｂを止着する手段などもある（図９、図１０参照）。この場合、各素材１の左右端部側１Ｂを揃えて重ね、これを止着することで、各素材１が屈曲するように構成している（図１０参照）。また、予め屈曲した素材１を止着することも可能である。もちろん、前述した各手段を組み合わせることも可能である。
【００２７】
立体装飾物Ｐの各素材１は複数枚の複製した同一写真や絵を切り抜いて形成しているが、この他、同一写真や絵を切り抜いた状態で透明板体２に印刷しても良い（図１１参照）。この透明板体２を素材１として使用した場合も、それぞれの透明板体２を湾曲して中央面部１Ａを前方に突出させて配置する。また、重ねた各層の最先端の層に至る透明板体２ほど素材１の曲面が次第に強くなるように湾曲するものである。図示例では、後述する装飾物収納体Ｒに収納凹部３を形成し、この収納凹部３に設けた切欠部１Ｄに透明板体２の係止突起１Ｃを係止させ、各素材１の左右端部側１Ｂを夫々まとめるように構成している。
【００２８】
このような立体装飾物Ｐを利用して各種装飾用品Ｑを飾り付けることができる。例えば、装飾用品Ｑの一部に収納凹部３を形成し、この収納凹部３に立体装飾物Ｐを収納することが可能である（図示せず）。この場合、立体装飾物Ｐを収納せしめる収納凹部３を形成可能な装飾用品Ｑであれば、どのような装飾用品Ｑでも立体装飾物Ｐを利用することが可能になる。
【００２９】
また、立体装飾物Ｐを収納凹部３に収納する手段として、独立した装飾物収納体Ｒに収納凹部３を凹設することも可能である（図３参照）。図示の装飾物収納体Ｒは、薄い箱体状を成している。したがって、装飾物収納体Ｒの収納凹部３に立体装飾物Ｐを収納すると、装飾物収納体Ｒごと立体装飾物Ｐを任意の位置に移動することが可能になる。また、この装飾物収納体Ｒは、立体装飾物Ｐを収納可能であればどのような形状でも良いので、装飾物収納体Ｒの形状は任意に変更することができる。
【００３０】
一方、図示の装飾用品Ｑは、内部に収納スペースＱ１を備えた装飾用品Ｑを構成している（図３参照）。そして、この収納スペースＱ１に装飾物収納体Ｒごと立体装飾物Ｐを収納する（図２参照）。更に、装飾物収納体Ｒの裏側に、物品Ｓを収納する収納部Ｑ２を形成したものである（図４参照）。
【００３１】
図示の装飾用品Ｑは、丸背ブック型ケースとして構成されている（図２参照）。すなわち、丸背状に形成される背板１１を中央に介して底板１２と蓋板１３が連接され、これら底板１２、背板１１、蓋板１３に重ねて内側から強化する透明な合成樹脂製の補強板１０とを備えた構成である（図５参照）。
【００３２】
そして、蓋板１３に重ねた補強板１０の内側に装飾物収納体Ｒを配置すると共に、蓋板１３に形成した開口窓部１３Ａから装飾物収納体Ｒ内の立体装飾物Ｐが見えるように構成している（図２参照）。図示の補強板１０は、全体が透明な板で形成しているが、補強板１０の透明部分から立体装飾物Ｐが見えるようにするため、この補強板１０は、この開口窓部１３Ａの部分のみを透明にすることも可能である。
【００３３】
更に、この丸背ブック型ケースの収納スペースＱ１に、物品Ｓを収納し、この物品Ｓと補強板１０との間に装飾物収納体Ｒを設置している（図４参照）。すなわち、丸背ブック型ケースの内部全体が収納スペースＱ１となり、物品Ｓを収納している部分は収納部Ｑ２となっている。また、図示の装飾物収納体Ｒは物品Ｓ上に載置しているが、この装飾物収納体Ｒを収納スペースＱ１内に固定することも可能である。
【００３４】
また、立体装飾物Ｐの素材１に、装飾片４を追加することも可能である（図１２参照）。この装飾片４は、任意の素材１表面に装着する紙材や合成樹脂材にて形成された装飾部材である。図示の装飾片４は、周囲縁から係止突起４Ａを突設し（同図（イ）参照）、素材１に形成した切欠部４Ｂに係止するものである（同図（ロ）参照）。
【００３５】
尚、本発明の構成は図示例に限られるものではなく、本発明の要旨を変更しない範囲での設計変更は自由に行えるものである。
【符号の説明】
【００３６】
Ｐ  立体装飾物
Ｑ  装飾用品
Ｑ１  収納スペース
Ｒ  装飾物収納体
Ｓ  物品
１  素材
１Ａ  中央面部
１Ｂ  左右端部側
１Ｃ  係止突起
１Ｄ  切欠部
１Ｅ  止着具
２  透明板体
３  収納凹部
４  装飾片
４Ａ  係止突起
４Ｂ  切欠部
１０  補強板
１１  背板
１２  底板
１３  蓋板
１３Ａ  開口窓部
【図１】
2020011477.tif 000003
【図２】
2020011477.tif 000004
【図３】
2020011477.tif 000005
【図４】
2020011477.tif 000006
【図５】
2020011477.tif 000007
【図６】
2020011477.tif 000008
【図７】
2020011477.tif 000009
【図８】
2020011477.tif 000010
【図９】
2020011477.tif 000011
【図１０】
2020011477.tif 000012
【図１１】
2020011477.tif 000013
【図１２】
2020011477.tif 000014